(57)【要約】【課題】服用時刻を報知するに止まる薬箱でなく、より機能的で使用者にとって有益な薬箱を提供する。【解決手段】制御装置４１、電子タイマ４２、送受信装置６、記憶装置４３、データの入出力回路４４を有するとともに少なくとも一面に配置された液晶モニタ３と、液晶モニタ３の表示を切り替える切替手段を有するとともに服用する薬剤を取り出し自由に収容可能なモニタ付き薬箱１であって、服用する薬剤の情報を前記入出力回路４４を介して記憶装置４３に記録するとともにそれらの情報の内で表示したいものを切換手段１３により選択して前記液晶モニタに表示する。【選択図】図１
2010005344.tif 000002
【特許請求の範囲】
【請求項１】
制御装置、電子タイマ、送受信装置、記憶装置、データの入出力回路を有するとともに少なくとも一面に配置された液晶モニタと、前記液晶モニタの表示を切り替える切替手段を有するとともに服用する薬剤を取り出し自由に収容可能なモニタ付き薬箱であって、服用する薬剤の情報を前記入出力回路を介して記憶装置に記録するとともにそれらの情報の内で表示したいものを前記切換手段により選択して前記液晶モニタに表示することを特徴とするモニタ付き薬箱。
【請求項２】
前記記憶装置に一般薬剤情報が記憶されており、前記入力された服用する薬剤の情報と前記一般薬剤情報とを照合して照合結果を前記切換手段により選択して前記液晶モニタに表示することを特徴とする請求項１記載のモニタ付き薬箱。
【請求項３】
前記服用する薬剤の処方情報が記憶装置付きＩＣカードや携帯端末などの移動可能な記憶装置または既設の通信機器を介して前記入出力回路から入力し、または出力される請求項１または２記載のモニタ付き薬箱。
【請求項４】
前記電子タイマーによりカレンダ機能を用いて服用する時を前記モニタに表示するとともに服用時であることを知らせる報知装置を内蔵している請求項１，２または３記載のモニタ付き薬箱。
【請求項５】
前記モニタがタッチパネル式であって前記切換手段並びに各種の入力手段を兼ねる請求項１，２，３または４記載のモニタ付き薬箱。
【請求項６】
前記記憶装置に記憶し、或いは外部から入力する映像や音声を前記モニタに表示可能であるとともに、服用時間になると服用する時間である旨の通知をモニタに表示する請求項１，２，３，４または５記載のモニタ付き薬箱。
【請求項７】
前記記憶装置に記憶し、或いは外部から入力する映像や音声を前記モニタに表示可能であり多用途に用いることが可能であるとともに、服用時間になると服用する時間である旨の通知をモニタに表示する請求項１，２，３，４，５または６記載のモニタ付き薬箱。
【請求項８】
前記モニタのタッチパネルによる入力手段を用いて服用したことを前記電子式タイマーを用いて服用した薬剤と服用時期などの服用記録を前記記憶装置に記憶する請求項１，２，３，４，５，６または７記載のモニタ付き薬箱。
【請求項９】
前記記憶させた服用記録をお薬手帳に転記するためのプリンタが併設されている請求項１，２，３，４，５，６，７または８記載のモニタ付き薬箱。
【発明の詳細な説明】
【技術分野】
【０００１】
本発明は、家庭などで服用薬を保管しておく薬箱、特に、一部に液晶モニタを配置したモニタ付き薬箱に関するものである。
【背景技術】
【０００２】
従来、家庭において薬袋から取り出した服用薬を保管しておく手段として薬箱があり、実開昭６４−４３９３０号公報に提示されているように内蔵したタイマー機能により服用時刻をアラームにより警告するものが知られている。
【０００３】
ところが、前記公報に提示されている薬箱は単に服用時刻を音声により警告するものである。また、その後、特開２００４−３２９３９９号公報に提示されているように、更に進んで服用時における蓋体の開閉操作を検知して服用時刻に蓋を開閉しないときに警告を発する薬箱が知られている。
【０００４】
しかしながら、前記公報に提示されている薬箱は、飲み忘れを防止するために服用時刻を警報することを目的としたものである。また、前記公報に提示されている薬箱には液晶表示部が設けられているが、服用時に警報と連動して数秒間の間だけ点滅するものであり、普段は表示機能を発揮していない。
【特許文献１】実開昭６４−４３９３０号公報
【特許文献２】特開２００４−３２９３９９号公報
【発明の開示】
【発明が解決しようとする課題】
【０００５】
本発明の課題は、前記公報に提示されている服用時刻を報知するに止まる薬箱でなく、より機能的で使用者にとって有益な薬箱を提供する。
【課題を解決するための手段】
【０００６】
前記課題を解決するためになされた本発明は、制御装置、電子タイマ、送受信装置、記憶装置、データの入出力回路を有するとともに少なくとも一面に配置された液晶モニタと、前記液晶モニタの表示を切り替える切替手段を有するとともに服用する薬剤を取り出し自由に収容可能なモニタ付き薬箱であって、服用する薬剤の情報を前記入出力回路を介して記憶装置に記録するとともにそれらの情報の内で表示したいものを前記切換手段により選択して前記液晶モニタに表示することを特徴とする。
【０００７】
本発明によれば、服用する薬剤、即ち、収容、保管する薬剤に関する情報を記憶装置に記憶させておくことにより、それらの情報のうちで必要なものを必要なときに液晶モニタに表示して患者に知らせる。勿論、内蔵している電子タイマにより服用時期の警告や服用結果の記録なども行える。
【０００８】
また、入力された処方情報の内、添付文書（注意書）などを切替え手段により切り替えて液晶モニタ３に表示することかでき、更に、前記記憶装置に一般薬剤情報が記憶されており、前記入力された服用する薬剤の処方情報（薬剤の種類、形態、用法、用量など）と前記一般薬剤情報とを照合して照合結果を前記切換手段により選択して前記液晶モニタに表示することにより、患者は自身が服用する薬剤の処方情報を、従来のように書物やインターネットなどの面倒な操作をすることなく入手することができる。特に、副作用や相互左右がある場合、或いは発令される緊急安全情報を液晶モニタ３に医師や薬剤師から注意が発せられ。液晶モニタ３に警報として表示することもできる。また、必要であれば、通信機器６を用いて医師や薬剤師に連絡して相談したり、指示を受けることもできる。
【０００９】
更にまた、前記服用する薬剤の情報を記憶装置付きＩＣカードや携帯端末などの移動可能な記憶装置または既設の通信機器を介して前記入出力回路から入力し、または出力される場合には、容易に必要な情報を出入力することができ、内蔵した報知装置により、電子タイマーによりカレンダ機能を用いて服用する時を前記モニタに表示するとともに服用時であることを知らせることができる。
【００１０】
特に、前記モニタがタッチパネル式であって前記切換手段並びに各種の入力手段を兼ねる場合には操作が簡単で服用確認としても使用でき、表示画面を見ながら操作できることからお年寄りなどにも簡単に服用管理ができる。前記記憶装置に記憶し、或いは外部から入力する映像や音声を前記モニタに表示可能であるとともに、服用時間になると服用する時間である旨の通知をモニタに表示することにより、服用時以外も液晶モニタを例えばデジタルフォトフレームやマルチメディアなど有効に利用することができる。
【００１１】
更に、記憶させた服用記録をお薬手帳に転記するためのプリンタが併設されている場合には、服薬履歴が所定の頁に印刷されるので患者が服薬時に一々、服用毎に手で書き込むという煩わしさがない。
【発明の効果】
【００１２】
本発明によれば、液晶モニタを配置したことにより、従来の服薬時刻を報知する薬箱とことなり、多機能であり、患者にとってきわめて便利である。
【発明を実施するための最良の形態】
【００１３】
次に、図面を参照して本発明の実施の形態を以下に説明する。
【００１４】
図１は本発明の好ましい実施の形態を示すものであり、液晶付き薬箱１は、例えば全体が箱形の薬箱本体２の頂部に開閉可能な蓋体３を有し、前記蓋体２１の開放部（図示せず）に服用する薬を収納するようになっており、この点については従来の薬箱と大差がない。
【００１５】
そして、薬箱本体２の前面には、そのほぼ前面に液晶モニタ３が配置されている。この液晶モニタ３は本実施の形態では薬箱本体２に内蔵した制御部４内の制御装置４１に接続された所謂、タッチパネル式であって、入力手段５を兼ねるが、別途に入力手段（図示せず）を設けてもよい。更に、前記制御部には、電子タイマ４２、記憶装置４３、データの入出力回路４４、データの照合手段４５が含まれるとともに、前記入出力回路４４には例えば携帯電話や固定電話などの通信機器６が接続される。
【００１６】
以上の構成を有する本実施の形態を使用するには、先ず、家庭用電源或いは電池を用いて（図示せず）前記制御部４に電源を供給するとともに、蓋体２１を開閉して服用する薬剤を収容しておく。そして、前記電子タイマー４２と記憶装置４３に記憶させてあるカレンダー機能を有する服用プログラムを用いて液晶モニタ３に例えば服用カレンダーの如き画像を表示させる。尚、本実施の形態では液晶モニタ３がタッチパネル式であることから、この液晶モニタ５を入力手段５として使用する。
【００１７】
また、前記カレンダー機能に使用する処方薬剤情報を前記入出力回路４４から記憶装置４３へ入力し、また、記憶装置４３から取り出すことができる。その際、薬剤情報は、例えば、記憶装置付き非接触式のＩＣカードやＩＣタグ（図示せず）、携帯端末などの移動可能な記憶装置または既設の通信機器６を介して行うことによりきわめて簡単に行うことができ、例えば、病院からの処方せん情報や調剤薬局からの薬剤情報として発行するものを利用する。
【００１８】
そして、前記液晶モニタ３に表示した服用カレンダー機能を用いるには、服用した際に服用した日時の箇所をタッチすることにより入力すればよい。尚、服用カレンダー機能は電子タイマー４２により時間制御を行うことができることから、従来の薬箱のように服用時期を液晶モニタ３に表示したり警告音を発生させることができることはいうまでもない。また、入力された服薬情報は記憶装置４３に記憶され、必要であれば、服薬情報として前記入出力回路４４からＩＣカードや通信機器などにより病院や調剤薬局に提出することができる。
【００１９】
また、本実施の形態では、記憶装置４３に薬剤情報などが記憶されているのでタッチパネル式の液晶モニタ３（入力手段５）により切替手段４６を操作することで表示画面を切り替えて処方せん情報を閲覧することができ、更に、これらの処方せん情報を前記入力された薬剤情報と照合手段４５により照合して副作用、相互作用、アレルギー、併用薬などを表示させることが可能であり、特に、前記記憶装置４３に使用する個人の薬剤や病歴に関する個人情報を記憶させておくことにより使用者に特化した情報を表示させることもできる。尚、これらの場合には液晶モニタ３に緊急情報として画面を切り替えて表示することにより警告することも可能であり、また、通信機器などを介して緊急安全情報なども表示可能であり、セキュリティの面でも優れている。
【００２０】
更に、本実施の形態では、前記記憶装置４３に記憶し、或いは外部から入力する映像や音声を前記液晶モニタ３に表示することにより、服用時刻の前後を除いて映像や音声を前記モニタに表示可能であり、常時はデジタルフォトスタンドやマルチメディアの画面として使用することができ、有効利用が図れる。服用時刻が近づいた時には自動的に服用カレンダー機能を表示する。
【００２１】
尚、本実施の形態では、入出力回路４４並びに通信機器６を備えていることから、服薬情報、薬剤情報や映像情報などを例えばインターネットにより容易に入手することができ、液晶モニタ３に使用者が好みの映像、写真などを表示することにより多目的に使用することができるばかりか室内のインテリアとしても最適である。
【００２２】
図３は本発明の異なる実施の形態を示すものであり、薬箱本体２の構成ならびに作用・効果については前記図１に示した実施の形態とほぼ同様であるが、薬箱本体２の側面にお薬手帳７の印刷機７が付設されている。
【００２３】
本実施の形態によれば、使用者は、お薬手帳７の服薬記録の頁７１を開いて印刷機８の差込口８１に差し込んでおくことにより、前記液晶パネル５により入力した服薬記録を使用者が例えば液晶モニタ３（入力手段５）により服用したことを入力するだけで特別の入力をしなくても自動的に印刷される。
従って、使用者は、服用毎にお薬手帳に服薬結果を手で記録するという煩わしさから解放され、また、記録忘れがなく信頼性があることから治療の資料としてきわめて有効に利用することができる。特に、記録することが困難で手助けを要する被介護者や身障者などにおいて有効である。
【００２４】
尚、本実施の形態では、液晶モニタとしてタッチパネル式のものを用いて入力手段５を兼ねたことにより操作がきわめて容易であるが、液晶モニタ３はタッチパネル式に限るものでなく、他に入力手段（図示せず）を設けた構成であってもよい。
【図面の簡単な説明】
【００２５】
【図１】本発明における実施の形態についての斜視図。
【図２】図１に示した実施の形態の制御部を中心に示した電子回路のブロック回路図。
【図３】本発明における異なる実施の形態についての斜視図。
【符号の説明】
【００２６】
１  液晶モニタ付き薬箱、２ 薬箱本体、３  液晶モニタ、４  制御部、４１  制御装置、４２  電子タイマ、４３  記憶装置、４４  入出力回路、４５  照合手段、６  通信機器  ７  お薬手帳
【図１】
2010005344.tif 000003
【図２】
2010005344.tif 000004
【図３】
2010005344.tif 000005